(57)【要約】      （修正有）【課題】  光ピックアップの位置を所定の位置に調整できるようにした。【解決手段】  光ディスク９を回転駆動するスピンドルモータ２１と、光ディスク９の記録面に光を出射する光ピックアップ２と、光ピックアップ２を支持して光ディスク９の半径方向への移動を案内する互いに平行なガイド主軸３とガイド従軸４と、ガイド主軸３の一端を保持する第１の保持部材２２ａと他端を保持する第２の保持部材２２ｂと、ガイド従軸４の一端を保持する第３の保持部材２２ｃと他端を支持する第４の保持部材２２ｄとを有する光ディスク装置において、第１乃至第４の保持部材２２ａ〜２２ｄに、第１乃至第４の調整機構をそれぞれ設け、第１乃至第４の調整機構によりガイド主軸３の一端及び他端とガイド従軸の一端と他端をそれそれ上下に移動して、それぞれ所定の高さで保持するように構成した。【選択図】図１
2006179053.tif 000002
【特許請求の範囲】
【請求項１】
光ディスクを搭載したターンテーブルを回転駆動するスピンドルモータと、前記スピンドルモータを支持するシャーシーと、前記スピンドルモータにより回転駆動される前記光ディスクの記録面に光を出射する光ピックアップと、前記光ピックアップを支持して前記光ディスクの半径方向への移動を案内する互いに略平行な第１のガイド軸と第２のガイド軸と、前記シャーシーに支持された、前記第１のガイド軸の一端を保持する第１の保持部と前記第１のガイド軸の他端を保持する第２の保持部と、前記シャーシーに支持された、前記第２のガイド軸の一端を保持する第３の保持部と前記第２のガイド軸の他端を支持する第４の保持部とを有する光ディスク装置において、
前記第１乃至第４の保持部に、第１乃至第４の調整機構をそれぞれ設け、前記第１の調整機構により前記第１のガイド軸の一端を、前記第２の調整機構により前記第１のガイド軸の他端を、前記第３の調整機構により前記第２のガイド軸の一端を、前記第４の調整機構により前記第２のガイド軸の他端を、それぞれ上下に移動して、それぞれ所定の高さで保持するように構成したことを特徴とする光ディスク装置。
【発明の詳細な説明】
【技術分野】
【０００１】
本発明は、高密度光ディスクを記録再生する光ディスク装置に関するものである。
【背景技術】
【０００２】
光ディスク装置としては、ＣＤ−ＲＯＭドライブから、ＣＤ系の光ディスクも読み込み可能で、且つ、高密度・高記録容量型の光ディスクを扱うことの出来るＤＶＤ−ＲＯＭドライブに移行してきている。
一般に、光ディスク装置のターンテーブルに装着された光ディスクの記録面が光ピックアップの光軸に対して傾いていると、ジッターが劣化し読み取り性能に支障をきたすため、光ディスクの記録面に対して光ピックアップの光軸が直交するように、機構的な考慮がなされている。
【０００３】
特に、ＤＶＤ装置においては、記録媒体のＤＶＤ−ＲＯＭが高密度・高容量であるため、光ピックアップの対物レンズの開口数ＮＡを、ＣＤ系ディスク用光ピックアップの対物レンズの開口数ＮＡより大きく設定してある。このため、光ピックアップの光軸が光ディスクの記録面に対してわずかに傾いているだけでも、ジッターが大きく劣化し、記録再生性能が低下する。このため、ＤＶＤ−ＲＯＭ用の光ディスク装置においては、ジッター改善のためのチルト（角度）調整機構が必要となる。
このチルト調整機構により、光ディスクのディスク面のラジアル方向とタンジェンシャル方向の両方向の角度調整を行うことが出来るようなっている（例えば、特許文献１参照。）。
【０００４】
以下、このようなチルト（角度）調整を行うことが出来る光ディスク装置を、図４を参照して説明する。
図４は、従来例の光ディスク装置を示す構成図である。
同図において、従来の光ディスク装置１０Ａについて、図４の（Ａ）は上面図を、図４の（Ｂ）は正面図を、それぞれ示す。図４の（Ｃ）は、図４の（Ａ）中に示すａ−ａ断面図であり、以下同様に、図４の（Ｄ）はｂ−ｂ断面図を、図４の（Ｅ）はｄ−ｄ断面図を、図４の（Ｆ）はｆ−ｆ断面図を、図４の（Ｇ）はｅ−ｅ断面図を、図４の（Ｈ）はｈ−ｈ断面図を、図４の（Ｉ）はｇ−ｇ断面図を、それぞれ示す。
【０００５】
同図に示すように、光ディスク装置１０Ａは、光ピックアップ２を図示左右方向に移動する際にガイドするガイド主軸３とガイド従軸４とを有する。シャーシ２０の所定の位置にスピンドルモータ２１が固定配置されており、スピンドルモータ２１のシャフトはシャーシ２０に対し直立している。スピンドルモータ２１の回転自在のシャフトには、ターンテーブル１が取り付けられている。ターンテーブル１の面上には光ディスク９を搭載する。光ピックアップ２は、その対物レンズ２ｂを光ディスク９に対向させて、光ディスク９の下方に、配置される。
【０００６】
ガイド主軸３は、その一端をシャーシ２０上に固定された保持部材２３により所定の高さに保持され、他端をシャーシー２０上に固定された保持部材２２ｂにより上下方向の高さを調整ネジ５ｂにより調整可能に所定の高さに保持されている。ガイド従軸４は、一端をシャーシー２０上に固定された保持部材２２ｃにより、他端をシャーシー２０上に固定された保持部材２２ｄにより、上下方向の高さを調整ネジ５ｃ、調整ネジ５ｄによりそれぞれ調整可能に、それぞれ所定の高さに保持されている。ガイド主軸３とガイド従軸４は互いに平行になるように保持されている。
【０００７】
光ピックアップ２は、保持部１８ａによりガイド従軸４に、保持部１８ｂ及び保持部１８ｃによりガイド主軸３に図示左右方向に移動可能に保持されている。
リードスクリュー１１は、一端を支持部材１５により、他端を支持部材１６により、回転可能にそれぞれ保持されており、ガイド主軸３に略平行となるように配置されている。
シャーシー２０の所定の位置に、そのシャフトをリードスクリュー１１に略平行になるようにしてステッピングモータ１９が固定されている。ステッピングモータ１９のシャフトとリードスクリュ１１ーの他端とはギア群１４で連結されており、ステッピングモーター１９のシャフトの正逆回転に対応して、所定の回転数でリードスクリュー１１は正逆回転する。
【０００８】
光ピックアップ２の支持部１８ｂ、１８ｃの中間部にはリードスクリュー１１に噛合うギア部１２が設けられている。リードスクリュー１１の正逆回転に対応して、ギア部１２が図示左右方向に移動することにより、光ピックアップ２はガイド主軸３及びガイド従軸４にガイドされて図示左右方向に移動する。
ここで、ターンテーブル１上に搭載した光ディスク９の面の法線と、所定範囲内を左右方向（内周外周間）に移動する光ピックアップ２の光軸とは常時平行に保たれる必要がある。
そのため、光ディスク装置１０Ａを組み立てる際に、光ピックアップ２の光軸２ａがターンテーブル１に搭載した光ディスク９の面の法線と所定範囲内の角度を保持するように、ガイド主軸３及びガイド従軸４の高さ調整をすることにより角度調整する必要がある。
【０００９】
ここで、一般的に、光ディスク９には、２種類のタイプの反りディスクがある。
光ディスク９の内周から外周にいくにつれて上に反っている光ディスクと、内周から外周にいくにつれて下に反っている光ディスクがある。
これらの光ディスク９に対応するため、光ピックアップ２は、光ピックアップ２の対物レンズ２ｂを、光ディスク９に照射するレーザ光が光ディスク９上で合焦点するように、その中点位置（理論位置）より上下方向に動くように構成されており、このとき、光ディスク９の面の法線と対物レンズ２ｂの光軸２ａの平行度のずれが最小になるように対物レンズ２ｂを傾けるようになっている（対物レンズ２ｂの上下移動距離が大きくなればなるほど対物レンズ２ｂの傾斜角度が大きくなる。）。
【００１０】
光ディスク装置１０Ａは、このような光ピックアップ２を使用するのであるが、ターンテーブル１の面と光ピックアップ２の光軸２ｂの調整を行っておき、それによって、所定規格範囲内の市販の光ディスク９のいずれも再生できるようにしている。
【００１１】
以下、この光ディスク装置１０Ａにおける角度調整方法を説明する。
まず、ステップ１として、ターンテーブル１の面上にあって、その回転軸に対して互いに例えば１２０度を成す３個所の検出部７ａ、検出部７ｂ、検出部７ｃの高さを、光学的又は機械的に測定し、その３点より構成される平面を、基準平面として設定する。
【００１２】
次に、ステップ２として、光ピックアップ２の光軸２ａはガイド主軸３及びガイド従軸４の各中心軸に対し所定の角度範囲に保持されているので、ガイド主軸３の所定間隔離れた２個所の検出部８ａ、検出部８ｂ及びガイド従軸４の所定間隔離れた２箇所の検出部８ｃ、検出部８ｄの高さを、光学的又は機械的に測定し、その４点から構成される面が平面となり且つ基準平面に対し所定の間隔で平行になるように（ピックアップ２の光軸２ａと基準平面の法線とが一致する）、ガイド主軸３の他端（外周側）に設けた調整ネジ５ｂと、ガイド従軸４の一端（内周側）に設けた調整ネジ５ｃ及び他端（外周側）に設けた調整ネジ５ｄをそれぞれ所定の方向に所定の回転量だけ回転させて各端の高さを調整する。
【００１３】
次に、ステップ３として、テストディスク（所定の規格を満足している）をターンテーブル１に装着して、光ピックアップ２を所定位置に配置して、信号を再生し、タンジェンシャル方向のジッター値が最小になるように、ガイド従軸４の一端に設けた調整ネジ５ｃと他端に設けた調整ネジ５ｄを同一方向に同一回転量だけ回転させて、ガイド従軸４の高さを調整する。
【００１４】
次に、ステップ４として、再度、光ピックアップ２を所定位置に配置して、テストディスクを再生して、ラジアル方向のジッター値が最小になるように、ガイド主軸３の他端（外周側）に設けた調整ネジ５ｂ及び、ガイド従軸４の他端（外周側）に設けた調整ネジ５ｄを同一方向に同一回転量だけ回転させて、ガイド主軸３とガイド従軸４の他端（外周側）の高さを調整する。
このようにして、ターンテーブル１の面のタンジェンシャル方向とラジアル方向に対して、光ピックアップ２の角度調整を行う。
【特許文献１】特開２００１−２１６６５８号公報
【発明の開示】
【発明が解決しようとする課題】
【００１５】
ところで、上述した従来例における調整方法によると、ステップ３の調整を行うと、光ディスク９と光ピックアップ２との距離が変化してしまう。
図２は、ジッター調整前の光ディスクと光ピックアップとの配置を示す図である。
同図に示すように、ステップ２までの調整を行うと、ターンテーブル１の基準平面と光ピックアップの光軸が平行となり、ターンテーブル１と光ピックアップ２の対物レンズ２ｂまでの距離がｄとなる。
【００１６】
図５は、従来例におけるジッター調整後の光ディスクと光ピックアップとの配置を示す図である。図５の（Ａ）は、ガイド従軸４を下方に移動してジッター調整をしたときの光ディスクと光ピックアップとの配置を示し、図５の（Ｂ）は、ガイド従軸４を上方に移動してジッター調整をしたときの光ディスクと光ピックアップとの配置を示す。
【００１７】
図５の（Ａ）に示すように、調整ネジ５ｃ及び調整ネジ５ｄの両方を反時計方向に同じ量だけ回転して、ガイド従軸４を点線で示された調整前の位置より距離ｈ１だけ下方に移動してジッター調整を行うと、光ピックアップ２は固定されたガイド主軸３を中心に、角度θ１だけ反時計方向に回転されて、光ピックアップ２の光軸２ａ上の光ディスク９と対物レンズ２ｂとの間隔（距離）が、調整前の値ｄ（対物レンズ２ｂによる合焦点位置である）より大きな値ｄ１１となってしまう。
【００１８】
一方、図５の（Ｂ）に示すように、調整ネジ５ｃ及び調整ネジ５ｄの両方を時計方向に同じ量だけ回転して、ガイド従軸４を点線で示された調整前の位置より、距離ｈ２だけ上方に移動してジッター調整を行うと、光ピックアップ２は固定されたガイド主軸３を中心に、角度θ２だけ反時計方向に回転されて、光ピックアップ２の光軸２ａ上の光ディスク９と対物レンズ２ｂとの間隔（距離）が、調整前の値ｄより小さな値ｄ２１となってしまう。
いずれにしても、タンジェンシャル方向の調整を行うことによって、光ディスク９に対して光ピックアップ２の位置が合焦点位置より異なってくる。この違い（距離の差）は、光ディスクの内周から外周までＤＣ成分的な差となってくる。
【００１９】
ステップ４におけるラジアル方向の調整を行うことによっても、同様な差が発生し、これは内周から外周に行くにつれて大きくなる。
このような光ディスク９と光ピックアップ２との間隔が対物レンズの合焦点距離と異なると、光ディスク９の再生特性を劣化させてしまい、場合によっては再生不能を引き起こすという問題があった。
【００２０】
そこで本発明は、上記問題を解決して、光ディスク装置において、光ピックアップの位置を所定の位置に調整できるようにし、これにより再生特性の劣化のない光ディスク装置を提供することを目的とする。
【課題を解決するための手段】
【００２１】
上記目的を達成するための手段として、本発明の光ディスク装置は、光ディスクを搭載したターンテーブルを回転駆動するスピンドルモータと、前記スピンドルモータを支持するシャーシーと、前記スピンドルモータにより回転駆動される前記光ディスクの記録面に光を出射する光ピックアップと、前記光ピックアップを支持して前記光ディスクの半径方向への移動を案内する互いに略平行な第１のガイド軸と第２のガイド軸と、前記シャーシーに支持された、前記第１のガイド軸の一端を保持する第１の保持部と前記第１のガイド軸の他端を保持する第２の保持部と、前記シャーシーに支持された、前記第２のガイド軸の一端を保持する第３の保持部と前記第２のガイド軸の他端を支持する第４の保持部とを有する光ディスク装置において、前記第１乃至第４の保持部に、第１乃至第４の調整機構をそれぞれ設け、前記第１の調整機構により前記第１のガイド軸の一端を、前記第２の調整機構により前記第１のガイド軸の他端を、前記第３の調整機構により前記第２のガイド軸の一端を、前記第４の調整機構により前記第２のガイド軸の他端を、それぞれ上下に移動して、それぞれ所定の高さで保持するように構成したことを特徴とする光ディスク装置を提供しようとするものである。
【発明の効果】
【００２２】
本発明の光ディスク装置は、請求項１記載によれば、第１乃至第４の保持部に、第１乃至第４の調整機構をそれぞれ設け、前記第１の調整機構により第１のガイド軸の一端を、前記第２の調整機構により前記第１のガイド軸の他端を、前記第３の調整機構により第２のガイド軸の一端を、前記第４の調整機構により前記第２のガイド軸の他端を、それぞれ上下に移動して、それぞれ所定の高さで保持するように構成したことにより、光ピックアップの位置を所定の位置に調整できるようにし、これにより再生特性の劣化のない光ディスク装置を提供できるという効果がある。
【発明を実施するための最良の形態】
【００２３】
以下、本発明の実施の形態につき、好ましい実施例により、図面を参照して説明する。
なお、参照符号については、説明の簡便のため、従来例と同一の構成要素には同一の符号を付し、その説明を省略する。
【実施例】
【００２４】
図１は、本発明の光ディスク装置の実施例を示す構成図である。
同図において、従来の光ディスク装置１０について、図１の（Ａ）は上面図を、図１の（Ｂ）は正面図をそれぞれ示す。図１の（Ｃ）は、図１の（Ａ）中に示すＡ−Ａ断面図であり、以下同様に、図１の（Ｄ）はＢ−Ｂ断面図を、図１の（Ｅ）はＤ−Ｄ断面図を、図１の（Ｆ）はＣ−Ｃ断面図を、図１の（Ｇ）はＦ−Ｆ断面図を、図１の（Ｈ）はＥ−Ｅ断面図をそれぞれ示す。
【００２５】
同図に示すように、光ディスク装置１０は、光ピックアップ２を移動する際にガイドするガイド主軸３とガイド従軸４とを有する。シャーシ２０の所定の位置にスピンドルモータ２１が固定配置されており、スピンドルモータ２１のシャフトはシャーシ２０に対し直立している。スピンドルモータ２１の回転自在のシャフトには、ターンテーブル１が取り付けられている。ターンテーブル１の面上には光ディスク９を搭載する。光ピックアップ２は、その対物レンズ２ｂを光ディスク９に対向させて、光ディスク９の下方に、配置される。
【００２６】
ガイド主軸３は、その一端（光ディスク９の内周側：以下、単に内周側ともいう）をシャーシ２０上に固定された保持部材２２ａにより上下方向の高さを調整ネジ５ａにより調整可能に所定の高さに保持されている。さらに詳しくは、保持部材２２ａに設けられている挿入部２６ａにガイド主軸３の一端が、上下方向に移動可能であるが、左右方向にはクリアランスなく挿入されている。ガイド主軸３の一端は保持部材２２ａに取り付けられた調整ネジ５ａにより下側から保持され、板バネ６ａにより上側から圧力をかけられて所定の位置に保持されるようになっている。調整ネジ５ａを所定方向に所定量回転させることにより、ガイド主軸３の一端の高さを変更できる。板バネ６ａは保持部材２２ａをシャーシー２０に固定するためのネジ２４ａによって固定されている。
【００２７】
同様に、ガイド主軸３は、その他端（光ディスク９の外周側：以下、単に外周側ともいう）をシャーシー２０上に固定された保持部材２２ｂにより上下方向の高さを調整ネジ５ｂにより調整可能に所定の高さに保持されている。さらに詳しくは、保持部材２２ｂに設けられている挿入部２６ｂにガイド主軸３の他端が、上下方向に移動可能であるが、左右方向にはクリアランスなく挿入されている。ガイド主軸３の他端は保持部材２２ｂに取り付けられた調整ネジ５ｂにより下側から保持され、板バネ６ｂにより上側から圧力をかけられて所定の位置に保持されるようになっている。調整ネジ５ｂを所定方向に所定量回転させることにより、ガイド主軸３の他端の高さを変更できる。板バネ６ｂは保持部材２２ｂをシャーシー２０に固定するためのネジ２４ｂによって固定されている。
【００２８】
ガイド従軸４は、その一端（内周側）をシャーシ２０上に固定された保持部材２２ｃにより上下方向の高さを調整ネジ５ｃにより調整可能に所定の高さに保持されている。さらに詳しくは、保持部材２２ｃに設けられている挿入部２６ｃにガイド従軸４の一端が、上下方向に移動可能であるが、左右方向にはクリアランスなく挿入されている。ガイド従軸４の一端は保持部材２２ｃに取り付けられた調整ネジ５ｃにより下側から保持され、板バネ６ｃにより上側から圧力をかけられて所定の位置に保持されるようになっている。調整ネジ５ｃを所定方向に所定量回転させることにより、ガイド従軸４の一端の高さを変更できる。板バネ６ｃは保持部材２２ｃをシャーシー２０に固定するためのネジ２４ｃによって固定されている。
【００２９】
同様に、ガイド従軸４は、その他端（外周側）をシャーシー２０上に固定された保持部材２２ｄにより上下方向の高さを調整ネジ５ｄにより調整可能に所定の高さに保持されている。さらに詳しくは、保持部材２２ｄに設けられている挿入部２６ｄにガイド従軸４の他端が、上下方向に移動可能であるが、左右方向にはクリアランスなく挿入されている。ガイド従軸４の他端は保持部材２２ｄに取り付けられた調整ネジ５ｄにより下側から保持され、板バネ６ｄにより上側から圧力をかけられて所定の位置に保持されるようになっている。調整ネジ５ｄを所定方向に所定量回転させることにより、ガイド従軸４の一端の高さを変更できる。板バネ６ｄは保持部材２２ｄをシャーシー２０に固定するためのネジ２４ｄによって固定されている。
ここで、基本的に、後述する角度調整前では、ガイド主軸３とガイド従軸４は互いに略平行になるように設定されている。
【００３０】
光ピックアップ２は、保持部１８ａによりガイド従軸４に、保持部１８ｂ及び保持部１８ｃによりガイド主軸３に図示左右方向に滑らかに移動可能に保持されている。
リードスクリュー１１は、一端（内周側）を支持部材１５により、他端（外周側）を支持部材１６により、回転可能にそれぞれ保持されており、ガイド主軸３に略平行となるように配置されている。
シャーシー２０の所定の位置に、そのシャフトをリードスクリュー１１に略平行になるようにしたステッピングモータ１９が固定されている。ステッピングモータ１９のシャフトとリードスクリュ１１ーの他端とはギア群１４で連結されており、ステッピングモーター１９のシャフトの正逆回転に対応して、所定の回転数でリードスクリュー１１は正逆（または逆正）回転する。
【００３１】
光ピックアップ２の支持部１８ｂ、１８ｃの中間部にはリードスクリュー１１に噛合うギア部１２が設けられている。リードスクリュー１１の正逆回転に対応して、ギア部１２が図示左右方向に移動することにより、光ピックアップ２はガイド主軸３及びガイド従軸４にガイドされて滑らかに移動する。
ここで、ターンテーブル１上に搭載した光ディスク９の面の法線と、所定範囲内を左右方向に移動する光ピックアップ２の光軸とは常時平行に保たれる必要がある。
そのため、光ディスク装置１０を組み立てる際に、光ピックアップ２の光軸２ａがターンテーブル１に搭載した光ディスク９の面の法線と所定の角度を保持するように、ガイド主軸３及びガイド従軸４の高さ調整をすることにより角度調整する必要がある。
【００３２】
ここで、一般的に、光ディスク９には、２種類のタイプの反りディスクがある。
光ディスク９の内周から外周にいくにつれて上に反っている光ディスク９と、内周から外周にいくにつれて下に反っている光ディスク９がある。
これらの光ディスク９に対応するため、光ピックアップ２は、光ピックアップ２の対物レンズ２ｂを、光ディスク９に照射するレーザ光が光ディスク９上で合焦点するように、その中点位置（理論位置）より上下方向に動くように構成されており、このとき、光ディスク９の面の法線と対物レンズ２ｂの光軸２ａのずれが最小になるように対物レンズ２ｂを傾けるようになっている（対物レンズ２ｂの上下移動距離が大きくなればなるほど対物レンズ２ｂの傾斜角度が大きくなる。）。
後述する角度調整においては、従来、タンジェンシャル方向のジッターとラジアル方向のジッターを測定して、それらを最小とする様に調整していたのであるが、本実施例においては、光ピックアップ２の角度精度の向上を図り、ラジアル方向の調整を不要にしてある。
【００３３】
本実施例の光ディスク装置１０は、このような光ピックアップ２を使用するのであるが、ターンテーブル１の面と光ピックアップの光軸２ｂとの間の調整を行っておき、それによって、所定規格範囲内の市販の光ディスク９のいずれも再生できるようにしている。
【００３４】
以下、この光ディスク装置１０における角度調整方法を説明する。
まず、ステップ１として、ターンテーブル１の面上にあって、その回転軸に対して互いに例えば１２０度を成す３個所の検出部７ａ、検出部７ｂ、検出部７ｃの高さを、光学的又は機械的に測定し、その３点より構成される平面を、基準平面として設定する。
【００３５】
次に、ステップ２として、光ピックアップ２の光軸２ａはガイド主軸３及びガイド従軸４の各中心軸に対し所定の角度範囲に保持されているので、ガイド主軸３の所定間隔離れた２個所の検出部８ａ、検出部８ｂ及びガイド従軸４の所定間隔離れた２箇所の検出部８ｃ、検出部８ｄの高さを、光学的又は機械的に測定し、その４点から構成される面が平面となり且つ基準平面に対し所定の間隔Ｈ（図１の（Ｂ）参照）で平行になるように（ピックアップ２の光軸２ａと基準平面の法線とが一致する）、ガイド主軸３の一端（内周側）に設けた調整ネジ５ａ及び他端（外周側）に設けた調整ネジ５ｂと、ガイド従軸４の一端（内周側）に設けた調整ネジ５ｃ及び他端（外周側）に設けた調整ネジ５ｄをそれぞれ所定の方向に所定の回転量だけ回転させて各端の高さを調整する。
【００３６】
次に、ステップ３として、テストディスクをターンテーブル１に装着して、光ピックアップ２を所定位置に配置して、信号を再生し、タンジェンシャル方向のジッター値が最小になるように、ガイド従軸４の一端（内周側）に設けた調整ネジ５ｃと他端（外周側）に設けた調整ネジ５ｄを同一方向に同一回転量だけ回転させて、ガイド従軸４の高さを調整する。
この結果、上述したように、光ディスク９と光ピックアップ２の対物レンズ２ｂとの距離（間隔）が調整前の値ｄより変化する。
【００３７】
図３は、本実施例におけるジッター調整時の光ディスクと光ピックアップとの配置を示す図である。図３の（Ａ）はガイド従軸をガイド主軸に対して下げる調整の場合を、図３の（Ｂ）はガイド従軸をガイド主軸に対してあげる調整の場合をそれぞれ示す。
【００３８】
図３の（Ａ）に示すように、ガイド従軸４を下げてジッター調整した場合、すなわち同図で点線の矢印で示すように調整ネジ５ｃ、５ｄを反時計方向に所定の回転量だけ回転させる場合には、光ディスク９と対物レンズ２ｂとの間隔を上述の所定の値ｄ（図２参照）となるように、４本の調整ネジ５ａ、５ｂ、５ｃ、５ｄをガイド主軸３及びガイド従軸４を上げる方向に、同図で実線で示すように、時計方向に所定の同一量だけ回転させてガイド主軸３とガイド従軸４の高さを調整する。
【００３９】
一方、図３の（Ｂ）に示すように、ガイド従軸４を上げてジッター調整した場合には、すなわち同図で点線の矢印で示すように調整ネジ５ｃ、５ｄを時計方向に所定の回転量だけ回転させる場合には、光ディスク９と対物レンズ２ｂとの間隔を所定の値ｄとなるように、４本の調整ネジ５ａ、５ｂ、５ｃ、５ｄをガイド主軸３及びガイド従軸４を下げる方向に、同図で実線で示すように、反時計方向に所定の同一量回転させてガイド主軸３とガイド従軸４の高さを調整する。
このようにして、ターンテーブル１の面と光ピックアップ２との角度調整及び距離調整を行う。
【００４０】
ここで、光ディスク９光ピックアップ２との距離調整に必要な調整ネジの回転数の関係を説明する。
上述のステップ３において、タンジェンシャル方向のジッター値を最小にするのに要した、ガイド従軸４用の２本の調整ネジ５ｃ、５ｄの回転数をｎｊとし、ターンテーブル１の中心からガイド主軸３までの距離をＬ１（図１の（Ａ）参照）とし、ターンテーブル１の中心からガイド従軸４までの距離をＬ２（図１の（Ａ）参照）とすると、光ディスク９と光ピックアップ２との距離を所定の値ｄに戻すために必要な４本の調整ネジ５ａ、５ｂ、５ｃ、５ｄの回転数ｎｓは、以下のようになる。
ｎｓ＝Ｌ１／（Ｌ１＋Ｌ２）×ｎｊ
【００４１】
また、上述のステップ３において、ガイド従軸４の高さを調整した後、ガイド主軸３とガイド従軸４の両方の高さ調整したのに代えて、以下のようにしても良い。
【００４２】
ジッター値が最小になるようにガイド従軸４をガイド主軸３に対して所定量下げる必要がある場合には、同時にガイド主軸３を所定量上げることによって、ジッター値を最小にすると同時に、光ディスク９と光ピックアップ２との間隔を所定の値ｄになるようにする。
ジッター値が最小になるようにガイド従軸４をガイド主軸４に対して所定量上げる必要がある場合には、同時にガイド主軸３を所定量下げることによって、ジッター値を最小にすると同時に、光ディスク９と光ピックアップ２との間隔を所定の値ｄになるようにする。
これにより、上述の実施例におけるよりも、調整時間を短縮することができる。
【００４３】
以上説明したように、本発明の光ディスク装置は、光ピックアップが光ディスクの半径方向に前後進して移動する際に、そのガイドとなるガイド主軸とガイド従軸について、それらのそれぞれの両端の高さ位置を調整可能に構成してあるので、光ディスクを再生する際のジッター値を最小に調整するとともに、光ディスクと光ピックアップとの間隔を信号の再生に好適な所定の間隔に調整できるので、良好な再生特性を有する光ディスク装置である。
【図面の簡単な説明】
【００４４】
【図１】本発明の光ディスク装置の実施例を示す構成図である。
【図２】ジッター調整前の光ディスクと光ピックアップとの配置を示す図である。
【図３】本実施例の変形例におけるジッター調整時の光ディスクと光ピックアップとの配置を示す図である。
【図４】従来例の光ディスク装置を示す構成図である。
【図５】従来例におけるジッター調整後の光ディスクと光ピックアップとの配置を示す図である。
【符号の説明】
【００４５】
１…ターンテーブル、２…光ピックアップ、２ａ…光軸、２ｂ…対物レンズ、３…ガイド主軸、４…ガイド従軸、５ａ、５ｂ、５ｃ、５ｄ…調整ネジ、６ａ、６ｂ、６ｃ、６ｄ…板バネ、７ａ、７ｂ、７ｃ…検出部（センサー）、８ａ、８ｂ、８ｃ、８ｄ…検出部（センサー）、９…光ディスク、９ａ…面法線、１０、１０Ａ…光ディスク装置、１１…リードスクリュー、１２…ギア部、１４…ギア群、１５…支持部材、１６…支持部材、１８ａ、１８ｂ、１８ｃ…保持部、１９…ステッピングモータ、２０…シャーシ、２０ａ、２０ｂ、２０ｃ、２０ｄ…受け入れ穴、２１…スピンドルモータ、２２ａ、２２ｂ、２２ｃ、２２ｄ…保持部材、２３…保持部材、２４ａ、２４ｂ、２４ｃ、２４ｄ…ネジ、２５…ネジ、２６ａ、２６ｂ、２６ｃ、２６ｄ…挿入部、２７…挿入部、２８…ガイド主軸固定穴。
【図１】
2006179053.tif 000003
【図２】
2006179053.tif 000004
【図３】
2006179053.tif 000005
【図４】
2006179053.tif 000006
【図５】
2006179053.tif 000007